(57)【要約】【課題】主にＡＴＭ装置やＣＤ機などの装置・機器に装備される媒体処理装置において、犯罪者による媒体の不正使用を防ぐ。【解決手段】搬送手段７、８によって媒体２１が挿入方向に搬送される際に、媒体２１に記録されている媒体情報を媒体情報読取手段６で読み取ってメモリに記憶して保持するように制御する。搬送手段７、８によって媒体２１を排出方向に搬送することにより、媒体２１が排出可能であるか否かを判定する。媒体２１が排出可能でないと判定された場合に、メモリに保持された媒体情報を破棄するように制御する。これにより、媒体２１が排出可能であることが確認されない限り、媒体２１に記録されている媒体情報が上位装置に出力されることがない。そのため、他人に暗証番号を盗み見られる事態を回避し、犯罪者による媒体２１の不正使用を防ぐことができる。【選択図】図７
2011022670.tif 000002
【特許請求の範囲】
【請求項１】
媒体を挿入方向および排出方向に搬送する搬送手段と、
前記媒体に記録されている媒体情報を読み取る媒体情報読取手段と、
前記媒体情報読取手段が読み取る媒体情報を記憶するメモリと、
前記搬送手段、前記媒体情報読取手段および前記メモリを制御する制御手段とを備えた媒体処理装置であって、
前記制御手段は、
前記搬送手段によって前記媒体が挿入方向に搬送される際に、当該媒体に記録されている媒体情報を前記媒体情報読取手段で読み取って前記メモリに記憶して保持するように制御する媒体情報読取り制御部と、
前記搬送手段によって前記媒体を排出方向に搬送することにより、当該媒体が排出可能であるか否かを判定する排出可否判定部と、
前記媒体が排出可能でないと判定された場合に、前記メモリに保持された媒体情報を破棄するように制御する媒体情報破棄制御部とを有することを特徴とする媒体処理装置。
【請求項２】
前記制御手段は、前記媒体が排出可能であるか否かが判定された後、前記搬送手段によって当該媒体を挿入方向に搬送するように制御することを特徴とする請求項１に記載の媒体処理装置。
【請求項３】
前記制御手段は、前記媒体が排出可能であると判定された場合に、前記メモリに保持された媒体情報を上位装置に出力するように制御することを特徴とする請求項１または２に記載の媒体処理装置。
【請求項４】
前記制御手段は、前記媒体から出力される媒体情報読取り信号に基づき、前記媒体が排出可能であるか否かを判定することを特徴とすることを特徴とする請求項１に記載の媒体処理装置。
【請求項５】
前記制御手段は、前記搬送手段の駆動状況に基づき、前記媒体が排出可能であるか否かを判定することを特徴とする請求項１に記載の媒体処理装置。
【請求項６】
媒体を挿入方向および排出方向に搬送する搬送手段と、
前記媒体に記録されている媒体情報を読み取る媒体情報読取手段と、
前記媒体情報読取手段が読み取る媒体情報を記憶するメモリとを備えた媒体処理装置に適用される媒体処理方法であって、
前記搬送手段によって前記媒体が挿入方向に搬送される際に、当該媒体に記録されている媒体情報を前記媒体情報読取手段で読み取って前記メモリに記憶して保持するように制御する媒体情報読取り制御工程と、
前記搬送手段によって前記媒体を排出方向に搬送することにより、当該媒体が排出可能であるか否かを判定する排出可否判定工程と、
前記排出可否判定工程において前記媒体が排出可能でないと判定された場合に、前記メモリに保持された媒体情報を破棄するように制御する媒体情報破棄工程と、
前記排出可否判定工程において前記媒体が排出可能であると判定された場合に、前記メモリに保持された媒体情報を上位装置に出力するように制御する媒体情報出力工程とを含むことを特徴とする媒体処理方法。
【発明の詳細な説明】
【技術分野】
【０００１】
本発明は、情報が記録された媒体に対して媒体情報の読取り又は書込みを行う媒体処理装置と、この媒体処理装置に適用される媒体処理方法とに関する。
【背景技術】
【０００２】
例えば、情報が記録された媒体に対して媒体情報の読取り又は書込みを行う媒体処理装置としては、磁気ストライプやＩＣチップなどの情報記録部（情報記録手段）を備えたカード状媒体の媒体情報を読み取る又は情報を書き込むカードリーダがある。このようなカードリーダは、主にＡＴＭ装置（現金自動預け払い機）やＣＤ機（現金自動支払い機）などの装置・機器に装備されている。
【０００３】
近年、カード状媒体所有者以外の第三者が窃取し、さらに、窃取したカード状媒体に記録された個人認識情報を読み取って本人認証を行うように不正に使用し、またカード状媒体を偽造等して不正に使用する犯罪が急増し、大きな社会問題になっている。
【０００４】
従来、この種のカードリーダとしては、犯罪者によるカード状媒体の不正使用を防ぐことを目的に、引き抜き防止ロック機構が設けられたカードロック装置を備えたもの（以下、公知技術１という。）が提案されていた（例えば、特許文献１参照）。
【０００５】
この公知技術１では、犯罪者がカードリーダにこっそり取り付けた仕掛けによってカード状媒体の排出を妨害し、私用者が立ち去ったすきに、犯罪者がカード状媒体を引き抜こうとしても、引き抜き防止ロック機構が作動してロック歯がカード状媒体に食い込む形でカード状媒体を滞留位置にロックする。こうして、カードリーダ内のカード状媒体は、動かないようにロックされるので、犯罪者によって不正に抜き取られる事態を防ぐことができる。その結果、犯罪者によるカード状媒体の不正使用を未然に防ぐことが可能となる。
【先行技術文献】
【特許文献】
【０００６】
【特許文献１】特開平２００６−１５５５６７号公報
【発明の概要】
【発明が解決しようとする課題】
【０００７】
しかしながら、公知技術１では次のような課題があった。
【０００８】
第１に、引き抜き防止ロック機構はカード状媒体の不正な抜き取りを確実に抑止する効果が有るが、ロック歯によりカード状媒体が損傷するため、カード状媒体の再発行が必要となる。
【０００９】
第２に、引き抜き防止ロック機構の分だけ、必然的にカードリーダの部品点数が増え、大型化となり、さらに、その構造が複雑化するため、カードリーダの製造コストが高騰する。
【００１０】
本発明は、このような事情に鑑み、媒体を損傷することなく、犯罪者による媒体の不正使用を防ぐことが可能な媒体処理装置および媒体処理方法を提供することを目的とする。
【課題を解決するための手段】
【００１１】
かかる目的を達成するために、請求項１に記載の発明は、媒体を挿入方向および排出方向に搬送する搬送手段と、前記媒体に記録されている媒体情報を読み取る媒体情報読取手段と、前記媒体情報読取手段が読み取る媒体情報を記憶するメモリと、前記搬送手段、前記媒体情報読取手段および前記メモリを制御する制御手段とを備えた媒体処理装置であって、前記制御手段は、前記搬送手段によって前記媒体が挿入方向に搬送される際に、当該媒体に記録されている媒体情報を前記媒体情報読取手段で読み取って前記メモリに記憶して保持するように制御する媒体情報読取り制御部と、前記搬送手段によって前記媒体を排出方向に搬送することにより、当該媒体が排出可能であるか否かを判定する排出可否判定部と、前記媒体が排出可能でないと判定された場合に、前記メモリに保持された媒体情報を破棄するように制御する媒体情報破棄制御部とを有する媒体処理装置としたことを特徴とする。
【００１２】
また、請求項２に記載の発明は、請求項１に記載の構成に加え、前記制御手段は、前記媒体が排出可能であるか否かが判定された後、前記搬送手段によって当該媒体を挿入方向に搬送するように制御することを特徴とする。
【００１３】
また、請求項３に記載の発明は、請求項１または２に記載の構成に加え、前記制御手段は、前記媒体が排出可能であると判定された場合に、前記メモリに保持された媒体情報を上位装置に出力するように制御することを特徴とする。
【００１４】
また、請求項４に記載の発明は、請求項１に記載の構成に加え、前記制御手段は、前記媒体から出力される媒体情報読取り信号に基づき、前記媒体が排出可能であるか否かを判定することを特徴とすることを特徴とする。
【００１５】
また、請求項５に記載の発明は、請求項１に記載の構成に加え、前記制御手段は、前記搬送手段の駆動状況に基づき、前記媒体が排出可能であるか否かを判定することを特徴とする。
【００１６】
さらに、請求項６に記載の発明は、媒体を挿入方向および排出方向に搬送する搬送手段と、前記媒体に記録されている媒体情報を読み取る媒体情報読取手段と、前記媒体情報読取手段が読み取る媒体情報を記憶するメモリとを備えた媒体処理装置に適用される媒体処理方法であって、前記搬送手段によって前記媒体が挿入方向に搬送される際に、当該媒体に記録されている媒体情報を前記媒体情報読取手段で読み取って前記メモリに記憶して保持するように制御する媒体情報読取り制御工程と、前記搬送手段によって前記媒体を排出方向に搬送することにより、当該媒体が排出可能であるか否かを判定する排出可否判定工程と、前記排出可否判定工程において前記媒体が排出可能でないと判定された場合に、前記メモリに保持された媒体情報を破棄するように制御する媒体情報破棄工程と、前記排出可否判定工程において前記媒体が排出可能であると判定された場合に、前記メモリに保持された媒体情報を上位装置に出力するように制御する媒体情報出力工程とを含む媒体処理方法としたことを特徴とする。
【発明の効果】
【００１７】
本発明によれば、媒体処理装置および媒体処理方法は、媒体を損傷することなく、犯罪者による媒体の不正使用を防ぐことができる。さらに、異常時（媒体の排出阻害時）においても媒体が損傷を受ける事態は生じないので、媒体の再発行コストを削減することができる。
【図面の簡単な説明】
【００１８】
【図１】本発明の実施の形態１に係るカードリーダを示す図であって、（ａ）はその断面図、（ｂ）はその内部機能を示す制御ブロック図である。
【図２】同実施の形態１に係るカードリーダの使用状態を示すブロック図である。
【図３】同実施の形態１に係るカードリーダにファームウェアとして組み込まれたカード処理プログラムのフローチャートである。
【図４】同実施の形態１に係るカードリーダの挿入口にカードが挿入された状態を示す断面図である。
【図５】同実施の形態１に係るカードリーダにカードが取り込まれた状態を示す断面図である。
【図６】同実施の形態１に係るカードリーダに取り込まれたカードが少し排出された状態を示す断面図である。
【図７】同実施の形態１に係るカードリーダに取り込まれたカードが排出を阻害された状態を示す断面図である。
【図８】同実施の形態１に係るカードリーダにおける正常時（カード排出非阻害時）の磁気情報読取り信号の出力状況を示すタイムチャートである。
【図９】同実施の形態１に係るカードリーダにおける異常時（カード排出阻害時）の磁気情報読取り信号の出力状況を示すタイムチャートである。
【図１０】本発明の実施の形態２に係るカードリーダにおける異常時（カード排出阻害時）のモータエンコーダ出力信号の出力状況を示すタイムチャートである。
【発明を実施するための形態】
【００１９】
以下、本発明の実施の形態について説明する。
［発明の実施の形態１］
【００２０】
図１乃至図９には、本発明の実施の形態１を示す。この実施の形態１では、媒体としてカード２１を用いることを前提に、媒体処理装置としてカードリーダ１を用い、搬送手段として一対の搬送ローラ７および押圧ローラ８を用い、制御手段としてＣＰＵ１１を用いている。また、カード２１は、媒体情報としての磁気情報が記録された磁気ストライプを有しており、この磁気情報を読み取る情報読取手段として磁気ヘッド６を用いている。
【００２１】
本発明では、カード２１を取り込むときにその磁気情報の読取り動作を実行するものの、この磁気情報を上位装置２３に出力することなくカードリーダ１が有するメモリ１８に一時的に保持し、その後、カード２１が排出不可であると判明した場合（ジャムエラー等の異常時）には、この磁気情報を破棄することに着目した。そこで、具体的な説明を次に行なう。
【００２２】
まず、構成を説明する。
【００２３】
この実施の形態１に係る小型のカードリーダ１は、図１（ａ）に示すように、内部にカードを完全に取り込めるサイズの直方体のケーシング２を有しており、このケーシング２の長さＬ１は、カード長より少し長くなっている。ケーシング２の前面（図１（ａ）左側面）には挿入口３が形成されており、挿入口３からケーシング２の後面（図１（ａ）右側面）の近傍に至る形で搬送路４が水平に形成されている。ケーシング２の内部には、光学式のカードセンサ５が挿入口３の近傍に設置されている。カードセンサ５は、発光ダイオードなどの発光素子５ａおよびフォトセンサなどの受光素子５ｂから構成されており、これらの発光素子５ａ、受光素子５ｂは、互いに搬送路４を挟んで対向するように設けられている。また、ケーシング２の内部には、磁気ヘッド６がカードセンサ５のやや後方（図１（ａ）右方）で下側に設置されている。より詳細には、磁気ヘッド６は、搬送されるカード２１に形成された磁気ストライプが通過する位置に配置されている。さらに、この磁気ヘッド６に対向して搬送路４の上方に、図示しないパッドローラが配置され、搬送されるカード２１を磁気ヘッド６とこのパッドローラで挟持している。より具体的には、磁気ヘッド６とパッドローラとは、搬送されるカード２１を所定の押圧力で挟持するように、図示しないバネによってパッドローラか磁気ヘッド６の何れか一方を他方側に付勢している。
【００２４】
さらに、本実施の形態では、磁気ヘッド６の近傍には、１つの搬送ローラ７が配置され、挿入口３から搬送路４に挿入されたカード２１を搬送するようになっている。すなわち、搬送ローラ７は、搬送路４の幅方向において磁気ヘッド６と隣り合い、且つ、搬送路４の幅方向における略中央に配置されている。この搬送ローラ７に対向する位置には、押圧ローラ８が設けられている。この押圧ローラ８は、その軸心が搬送ローラ７の軸心と略平行で、且つ、押圧ローラ８の外周面が搬送ローラ７の外周面に対向するように配置されており、挿入口３から搬送路４に挿入されたカード２１は、１対の搬送ローラ７と押圧ローラ８とで挟持されるようになっている。
【００２５】
この搬送ローラ７は、図１（ａ）に示すように、矢印Ｍ、Ｎ方向に回転自在に設置されている。すなわち、搬送ローラ７は、モータ９の出力軸９ａとは、図示しない歯車列（ギヤトレイン）またはベルトを介して連結されており、搬送ローラ７はモータ９の駆動力を受けて回動する。このような構成により、モータ９に通電して出力軸９ａを正逆方向に回転させることにより、搬送ローラ７をカードを挿入する挿入方向（図１（ａ）矢印Ｍ方向）、または、カードを排出する排出方向（図１（ａ）矢印Ｎ方向）に回転させることができる。また、モータ９にはエンコーダ１０が、出力軸９ａの回転速度に比例した周波数の信号をエンコーダ信号として出力し得るように取り付けられている。
【００２６】
また、カードリーダ１は、図１（ｂ）に示すように、ＣＰＵ（中央処理装置）１１を備えており、ＣＰＵ１１には、センサ検知部１２、復号処理部１３、磁気信号検出部１５、モータ回転速度検出部１６、モータサーボ制御部１７およびメモリ１８が接続されている。ここで、センサ検知部１２はカードセンサ５の受光素子５ｂに接続されている。復号処理部１３および磁気信号検出部１５は、復調回路１９を介して磁気ヘッド６に接続されている。モータ回転速度検出部１６はエンコーダ１０に接続されている。モータサーボ制御部１７は、モータ駆動回路２０を介してモータ９に接続されている。
【００２７】
なお、このカードリーダ１は、その使用時には、図２に示すように、上位装置２３（例えば、パーソナルコンピュータ）にケーブル接続される。この上位装置２３は、キーパッドなどの暗証番号入力装置２６がケーブル接続されているとともに、金融機関のセンターに設置されたホストコンピュータ２５と通信回線を介してオンライン接続されている。
【００２８】
次に、以上のような構成を有するカードリーダ１によるカード２１の読取り動作について説明する。この読取り動作は、ＣＰＵ１１が、図３に示すカード処理プログラムＰＲＧに基づき、センサ検知部１２、復号処理部１３、磁気信号検出部１５、モータ回転速度検出部１６およびモータサーボ制御部１７を適宜制御する形で実行する。
【００２９】
すなわち、図４に示すように、カード２１が挿入口３からケーシング２内に向けて挿入方向（矢印Ａ方向）に挿入されると、カードセンサ５は、発光素子５ａから受光素子５ｂへの光がカード２１で遮光されたことにより、カード２１が挿入されたことを認識し、その旨のセンサ信号をセンサ検知部１２に対して出力する。これを受けてセンサ検知部１２は、カード２１が挿入口３に挿入されたことをＣＰＵ１１に伝える。
【００３０】
すると、ＣＰＵ１１は、このカード２１をカードリーダ１内（図４右方）へ取り込むべく、モータサーボ制御部１７に対して、モータ９の出力軸９ａを正回転させるように指令する。これを受けてモータサーボ制御部１７は、モータ駆動回路２０をＯＮして、モータ９の出力軸９ａを正方向に一定の回転速度で回転させる。その結果、搬送ローラ７が矢印Ｍ方向に回転し、カード２１が搬送路４に沿って一定の速度でカードリーダ１内に搬送されていく（カード処理プログラムＰＲＧのステップＳ１）。
【００３１】
このとき、モータ回転速度検出部１６は、エンコーダ１０からのエンコーダ信号に基づき、モータ９の出力軸９ａの実際の回転速度をリアルタイムで検出し、これをモータサーボ制御部１７に出力する。これを受けてモータサーボ制御部１７は、モータ駆動回路２０への回転速度が目標速度より早い場合はモータ駆動力を低減し、遅い場合は増強するよう、指示を適宜増減させる。その結果、搬送ローラ７が一定の回転速度で回転し、カード２１が一定の速度で搬送されることになる。
【００３２】
また、このカード２１の取込と同時に、磁気ヘッド６は、カード２１に記録されている磁気情報の読み取りを開始する。すなわち、磁気ヘッド６は、カード２１の磁気ストライプ上に記録されている磁気情報をアナログ信号に変換し読み取り（再生し）、このアナログ信号を復調回路１９に出力する。これを受けて復調回路１９は、このアナログ信号をデジタル信号に変換し、このデジタル信号を復号処理部１３に出力する。これを受けて復号処理部１３は、このデジタル信号を文字情報に変換し、この文字情報に基づき、カード２１に記録されている磁気情報を復元する。
【００３３】
こうしてカード２１の取込および磁気情報の読み取りが実行され、図５に示すように、カード２１が取込完了位置（ケーシング２内の最奥部）に達したところで、カード２１の取込が完了するとともに、カード２１の磁気情報の読み取りが完了する（カード処理プログラムＰＲＧのステップＳ２）。そして、カードリーダ１内のＣＰＵ１１は、この磁気情報をメモリ１８に記憶して保持する（カード処理プログラムＰＲＧのステップＳ３）。
【００３４】
その後、ＣＰＵ１１は、カード２１の排出を阻害する仕掛け２７がカードリーダ１に取り付けられていないことを確認するため、以下に述べるとおり、カード２１の排出動作を試みることにより、カード２１が排出可能であるか否かを判定する（カード処理プログラムＰＲＧのステップＳ４）。なお、この仕掛け２７は、カード２１の取込に対しては障害とならず、カード２１の排出に対して、これを阻害する構造を備えている。
【００３５】
まず、ＣＰＵ１１は、モータサーボ制御部１７に対して、モータ９の出力軸９ａを逆回転させるように指令する。これを受けてモータサーボ制御部１７は、モータ駆動回路２０をＯＮして、モータ９の出力軸９ａを逆方向に一定の回転速度で回転させる。その結果、図６に示すように、搬送ローラ７が矢印Ｎ方向に回転し、カード２１が搬送路４に沿って一定の速度でカードリーダ１から排出する方向（矢印Ｂ方向）へ搬送されていく。
【００３６】
次に、ＣＰＵ１１は、カードセンサ５からのセンサ信号（遮光／受光）に基づき、カード２１がカードセンサ５を通過したか否かを判定する（カード処理プログラムＰＲＧのステップＳ５）。そして、カード２１がカードセンサ５を通過した時点で、ＣＰＵ１１は、磁気ヘッド６から出力される磁気情報読み取り信号の出力期間の測定を開始する（カード処理プログラムＰＲＧのステップＳ６）。この測定を開始してから規定出力期間が経過するまで、ＣＰＵ１１は、所定の時間ごとに磁気情報読み取り信号が出力されているか否かを繰り返しチェックする（カード処理プログラムＰＲＧのステップＳ７、Ｓ８）。
【００３７】
そして、図８に示すように、規定出力期間が経過するまで継続的に磁気情報読み取り信号が出力された場合、ＣＰＵ１１は、カード２１が排出可能であり、カードリーダ１に仕掛け２７が取り付けられていないと判定する（カード処理プログラムＰＲＧのステップＳ９）。
【００３８】
次いで、カード取引の実行中に使用者がカードリーダ１からカード２１を抜き取ってしまう不都合を避けるべく、ＣＰＵ１１は、カード２１の再取込を行う（カード処理プログラムＰＲＧのステップＳ９）。それには、ＣＰＵ１１は、モータサーボ制御部１７に対して、モータ９の出力軸９ａを正回転させるように指令する。これを受けてモータサーボ制御部１７は、モータ駆動回路２０をＯＮして、モータ９の出力軸９ａを正方向に一定の回転速度で回転させる。その結果、搬送ローラ７が矢印Ｍ方向に回転し、カード２１が搬送路４に沿って一定の速度でカードリーダ１内に搬送されていく。
【００３９】
そして、カード２１の再取込が完了した時点で、カードリーダ１のＣＰＵ１１は、カード２１の取込が正常に完了した旨を上位装置２３に通知するとともに、上位装置２３からの磁気情報送信コマンドに応じて、メモリ１８に保持された磁気情報を上位装置２３に送信する（カード処理プログラムＰＲＧのステップＳ１０）。
【００４０】
こうして上位装置２３に磁気情報が送信されると、上位装置２３と通常の処理が実行される。例えば、上位装置２３は使用者に暗証番号の入力を促し、使用者は暗証番号入力装置２６を操作して暗証番号を入力する。すると、上位装置２３は、ホストコンピュータ２５との通信を通じて暗証番号を照合する手続きに進む。
【００４１】
一方、図９に示すように、規定出力期間が経過する前に磁気情報読み取り信号の出力が停止した場合（ステップＳ７において、ＮＯ）、ＣＰＵ１１は、カード２１が排出不能であり、図７に示すように、カードリーダ１に仕掛け２７が取り付けられている恐れがあると判定する（カード処理プログラムＰＲＧのステップＳ１１）。
【００４２】
次いで、ＣＰＵ１１は、メモリ１８に保持された磁気情報を上位装置２３に送信することなく破棄する（カード処理プログラムＰＲＧのステップＳ１１）。さらに、ＣＰＵ１１は、異常時であることを上位装置２３に通知する。本実施の形態では、ＣＰＵ１１は、ジャムエラー（カード２１が搬送路４内で滞留するエラー）を上位装置２３に通知する（カード処理プログラムＰＲＧのステップＳ１２）。
【００４３】
そのため、上位装置２３は、次の処理に進むことなく、例えば、使用者に暗証番号の入力を促す手続きに進むことはない。したがって、ここで他人に個人認証情報、例えば、暗証番号や手指や手のひらの静脈パターン、虹彩、指紋等の生体情報を盗み見られる事態を回避することができる。
【００４４】
ここで、カードリーダ１によるカード２１の読み取り動作が終了する。
（本実施の形態の主な効果）
【００４５】
以上説明したように、本形態では、カードリーダ１は、カード２１が排出可能であることが確認されない限り、カード２１に記録されている磁気情報が上位装置２３に出力されることがない。そのため、カード２１が排出不能の場合は磁気情報が出力されないため犯罪者による媒体の不正使用を防ぐことができる。  
【００４６】
具体的には、このカードリーダ１では、仕掛け２７によるジャムエラーが発生しない正常時には、上位装置２３とのやり取りを含む通常の処理を遂行することができる。また、仕掛け２７によるジャムエラーが発生した異常時でも、カード２１がカードリーダ１から排出可能であることが確認されない限り、カード２１に記録されている情報が上位装置２３に出力されることがない。そのため、カード２１が排出不能の場合は情報が出力されないため上位装置２３の処理が暗証番号等入力要求まで進まず、他人に個人認証情報、例えば、暗証番号や手指や手のひらの静脈パターン、虹彩、指紋等の生体情報を盗み見られる心配がない。したがって、たとえカード２１を盗まれたとしても、暗証番号等の個人認証情報が知られていないので、犯罪者によるカード２１の不正使用を未然に防ぐことが可能となる。また、暗証番号等の個人認証情報が盗み見られる心配がないので、従来に比べてセキュリティ性が向上する。
【００４７】
さらに、上述したとおり、カードリーダ１のプログラムを変更することで対応できるので、上位装置２３はプログラムを変更することがないので、低コストで対応することが可能となる。
【００４８】
また、このような動作を行っているカードリーダ１は、犯罪行為の対象とされない効果が有るため、カード２１を窃取する行為そのものを抑止することが期待できる。
【００４９】
しかも、異常時（カード排出阻害時）にロック歯でカード２１をロックする公知技術１と異なり、カード２１が損傷を受ける不具合は生じないので、犯罪者によってカード２１が窃取されなかった場合はカード２１の再発行コストを削減することができる。また、引き抜き防止ロック機構を備えた公知技術１と比べて、部品点数の増大および構造の複雑化を避けることができるため、カードリーダ１の製造コストの高騰を抑制することができる。さらに、公知技術１と違って、引き抜き防止ロック機構等のハードウェアをカードリーダ１の内部に追加して組み込む必要がないことに加えて、カード２１に記録されている磁気情報の読み取りがカード２１の最初の取込時に完了していることから、カードリーダ１の内部スペースが小さい小型のカードリーダ１にも適用することが可能となる。
【００５０】
また、カードリーダ１に仕掛け２７が取り付けられていないことを確認する際に、磁気ヘッド６から出力される磁気情報読み取り信号を利用するため、搬送ローラ７のスリップに伴う誤判定を避けることができる。すなわち、カードリーダ１に仕掛け２７が取り付けられていないことを確認する際に、例えば、エンコーダ１０から出力されるエンコーダ信号を利用することも考えられるが、このエンコーダ信号は、搬送ローラ７が何らかの理由でカード２１に対してスリップした場合に、カード２１の動きと対応しなくなる。その結果、実際にはカード２１が停止しているにもかかわらず、カード２１が正常に排出されていると誤判定してしまう危険性がある。これに対して、磁気ヘッド６から出力される磁気読取り信号は、搬送ローラ７のスリップの有無とは関係なく常にカード２１の動きと対応する。したがって、カード２１が正常に排出されたか否か、ひいては、カードリーダ１に仕掛け２７が取り付けられていないか否かを正しく判定することが可能となる。
【００５１】
さらに、この磁気情報読み取り信号の出力期間の測定に際しては、その測定開始時点をカードセンサ５の通過時に設定しているため、測定精度を高めることができる。すなわち、磁気情報読み取り信号の出力期間の測定に際しては、例えば、磁気ヘッド６の通過時を測定開始時点とすることも考えられるが、この場合、測定距離が長くなるため、必然的に誤差量が増大してしまう。これに対して、カードセンサ５の通過時を測定開始時点とすれば、測定距離が短くなるため、誤差量を減らして測定精度を高めることが可能となる。
［発明の実施の形態２］
【００５２】
図１０には、本発明の実施の形態２を示す。
【００５３】
上述した実施の形態１では、カードリーダ１に仕掛け２７が取り付けられていないことを確認する際に、搬送ローラ７のスリップに伴う誤判定を避けるべく、磁気ヘッド６から出力される磁気情報読取り信号を利用する場合について説明した。しかし、ローラ７の摩擦係数が高くモータ９の駆動力に勝る場合などのように、搬送ローラ７のスリップを防止する対策が講じられている場合は、磁気ヘッド６から出力される磁気情報読み取り信号の代わりに、エンコーダ１０から出力されるエンコーダ信号を利用することもできる。以下、こうしたカードリーダ１について、実施の形態２として説明する。
【００５４】
すなわち、この実施の形態２では、カードリーダ１に仕掛け２７が取り付けられていないことを確認する際に、エンコーダ１０から出力されるエンコーダ信号の周期の変化に着目する。規定出力期間が経過するまでエンコーダ信号の周期が一定であれば、カード２１が排出可能であり、カードリーダ１に仕掛け２７が取り付けられていないと判定される。一方、図１０に示すように、規定出力期間が経過する前にエンコーダ信号の周期が制御目標とする周期から外れている場合は、カード２１が排出不能であり、カードリーダ１に仕掛け２７が取り付けられている恐れがあると判定される。なお、その他の動作手順およびカードリーダ１の構成ほかについては、上述した実施の形態１と同様である。
【００５５】
このように、この実施の形態２では、磁気ヘッド６から出力される磁気情報読み取り信号を利用する必要がないので、磁気ストライプのないＩＣカードにも適用することができる。より詳細に説明すれば、表面に配置されたＩＣ端子とＩＣ接点とが接触することで情報の読み取りや書き込みを行なう接触式ＩＣカード、または、非接触で無線通信によって情報の読み取りや書き込みを行う非接触式ＩＣカードに適用することができる。
［発明のその他の実施の形態］
【００５６】
なお、上述した実施の形態１、２では、光学式のカードセンサ５が組み込まれたカードリーダ１について説明したが、光学式以外の方式、例えば、カード２１の幅を検知する機械式のカードセンサ５を代用または併用することもできる。
【００５７】
また、上述した実施の形態１、２では、搬送ローラ７を有するカードリーダ１について説明したが、搬送ローラ７以外の搬送手段、例えば、ベルトを用いた搬送手段を代用または併用することも可能である。
【００５８】
また、上述した実施の形態１、２では、制御手段としてＣＰＵ１１を用いたカードリーダ１について説明したが、ＣＰＵ１１以外の制御手段、例えば、カードリーダ１のカードセンサ５やモータ９を直接制御する形態の上位装置を代用することもできる。
【００５９】
さらに、上述した実施の形態１、２では、一対の搬送ローラ７および押圧ローラ８で構成された小型のカードリーダ１について説明したが、搬送路内に複数の搬送ローラ対が配置された通常サイズのカードリーダ１に本発明を同様に適用することも勿論できる。
【００６０】
さらにまた、上述した実施の形態１、２では、媒体としてカード２１を用いることを前提に、媒体処理装置としてカードリーダ１を用いる場合について説明した。しかし、カード２１以外の媒体、例えば、金融機関などで扱われる通帳等や小切手等を処理する装置に本発明を同様に適用することもできる。
【産業上の利用可能性】
【００６１】
本発明は、ＡＴＭ装置（現金自動預け払い機）やＣＤ機（現金自動支払い機）、自動販売機、券売機など各種の装置・機器に広く適用することができる。
【符号の説明】
【００６２】
１……カードリーダ（媒体処理装置）
２……ケーシング
３……挿入口
４……搬送路
５……カードセンサ
５ａ……発光素子
５ｂ……受光素子
６……磁気ヘッド（媒体情報読取手段）
７……搬送ローラ（搬送手段）
８……押圧ローラ（搬送手段）
９……モータ
９ａ……出力軸
１０……エンコーダ
１１……ＣＰＵ（制御手段）
１２……センサ検知部
１３……復号処理部
１５……磁気信号検出部
１６……モータ回転速度検出部
１７……モータサーボ制御部
１８……メモリ
１９……復調回路
２０……モータ駆動回路
２１……カード（媒体）
２３……上位装置
２５……ホストコンピュータ
２６……暗証番号入力装置
２７……仕掛け
Ｌ１……ケーシングの長さ
【図１】
2011022670.tif 000003
【図２】
2011022670.tif 000004
【図３】
2011022670.tif 000005
【図４】
2011022670.tif 000006
【図５】
2011022670.tif 000007
【図６】
2011022670.tif 000008
【図７】
2011022670.tif 000009
【図８】
2011022670.tif 000010
【図９】
2011022670.tif 000011
【図１０】
2011022670.tif 000012